(57)【要約】【課題】高品位な画像読取が可能な画像読取装置及びこれを備えた画像読取記録装置を提供する。【解決手段】原稿１２の画像を読み取る画像読取手段２２と所定の間隔を設けて白基準部材２５を対向配置し、画像読取手段２２との間に原稿１２が通過する隙間Ｇ１を形成する。そして、画像読取手段２２により原稿を読み取る際、原稿１２を白基準部材２２に圧接させながら隙間Ｇ１を通過させるようにすることにより、白基準部材２５と原稿１２とを同じ位置で読み取ることができるようにする。【選択図】      図５
2004207817.tif 000002
【特許請求の範囲】
【請求項１】
原稿の画像を読み取る画像読取手段を備えた画像読取装置において、
前記画像読取手段と所定の間隔を設けて対向配置され、かつ該画像読取手段との間に前記原稿が通過する隙間を形成する白基準部材を備え、
前記画像読取手段により原稿を読み取る際、前記原稿を前記白基準部材に圧接させながら前記画像読取手段と前記白基準部材との間の隙間を通過させるようにしたことを特徴とする画像読取装置。
【請求項２】
前記画像読取手段は前記隙間の上面を構成し、前記原稿の上面の画像を読み取ることを特徴とする請求項１記載の画像読取装置。
【請求項３】
前記隙間の上流に設けられ、前記原稿を搬送する第１搬送手段と、
前記隙間の下流に設けられ、前記原稿を搬送する第２搬送手段と、
を備え、
前記第１搬送手段と前記第２搬送手段の上端を結ぶ直線より前記白基準部材の上面を上方に突出させることを特徴とする請求項１又は２記載の画像読取装置。
【請求項４】
前記第１搬送手段の搬送速度よりも前記第２搬送手段の搬送速度を速くし、かつ前記第１搬送手段の搬送力よりも前記第２搬送手段の搬送力を弱く設定したことを特徴とする請求項１乃至３のいずれか１項に記載の画像読取装置。
【請求項５】
シートに画像を記録する画像記録部と、前記請求項１乃至４のいずれか１項に記載の画像読取装置とを備えたことを特徴とする画像読取記録装置。
【請求項６】
前記第１搬送手段は、前記原稿を搬送し、かつ前記画像記録部にシートを搬送する搬送ローラであり、前記第２搬送手段は画像が読み取られた後の原稿及び画像が記録されたシートを排出する排紙ローラであることを特徴とする請求項５記載の画像読取記録装置。
【請求項７】
前記画像読取手段は、前記原稿の画像を読取る読取位置と、前記読取位置から退避した待機位置の２つの位置に移動可能であることを特徴とする請求項１乃至６の何れか１項に記載の画像読取記録装置。
【請求項８】
前記原稿を前記画像読取部に搬送する原稿搬送路と、前記シートを前記画像記録部に搬送するシート搬送路と、前記原稿搬送路と前記シート搬送路の一部をそれぞれ形成する共通の搬送路とを備え、前記共通の搬送路において原稿画像の読み取り及び前記シートへの画像記録を行うことを特徴とする請求項５乃至７の何れか１項に記載の画像読取記録装置。
【発明の詳細な説明】
【０００１】
【発明の属する技術分野】
本発明は、画像読取装置及びこれを備えた画像読取記録装置に関し、特に原稿画像を読み取る画像読取手段としてコンタクトイメージセンサを用いたものに関する。
【０００２】
【従来の技術】
従来の画像読取装置において、原稿の画像を読み取る画像読取手段としてコンタクトイメージセンサを用いたものがある。また、従来のシートに画像を記録（形成）する画像記録部を備えたファクシミリ、複写機、スキャナプリンタ等の画像読取記録装置においては、このような画像読取装置を備えたものがある。
【０００３】
図１２は、このような画像読取手段としてコンタクトイメージセンサを用いた従来の画像読取装置の画像読取部の構成を示す図である。同図において、２０８はコンタクトイメージセンサであり、このコンタクトイメージセンサ２０８は原稿を読取るガラス面２０９を上にして上原稿ガイド２０１と共に原稿搬送路２０３を形成する下原稿ガイド２０２に固定されている。また、２１０はコンタクトイメージセンサ２０８により読み取った原稿画像データを補正するための白基準板であり、この白基準板２１０はガラス面２０９に対向し、かつ所定の距離を保って配置されている。
【０００４】
なお、原稿搬送路２０３の上流側には分離ローラ２０４と摩擦分離片２０５からなる分離手段が配置されており、この分離手段により複数枚の原稿を１枚ずつ分離して搬送することが可能になっている。また、分離手段の下流には原稿を所定の速度で搬送するための搬送ローラ２０６と搬送コロ２０７が配置されている。
【０００５】
そして、原稿は原稿搬送路２０３を同図における右上から、分離手段及び搬送ローラ２０６により左下に搬送される際、コンタクトイメージセンサ２０８により画像が読み取られ、この後、コンタクトイメージセンサ２０８の下流に配された排紙ローラ２１１及び排紙コロ２１２により装置外に排出されるようになっている。
【０００６】
【発明が解決しようとする課題】
ところで、このような従来の画像読取装置及びこれを備えた画像読取記録装置において、コンタクトイメージセンサ２０８はガラス面２０９に原稿を密着した状態で原稿画像を読取るように設計されており、このため図１２に示すようにコンタクトイメージセンサ２０８のガラス面２０９は、搬送ローラ２０６と排紙ローラ２１２の外周を結んで形成される直線上に位置されている。これにより、原稿を両ローラ間でテンションを張って搬送するようにすれば、原稿はガラス面２０９に接するように搬送される。
【０００７】
一方、白基準板２１０は原稿搬送路２０３を確保するためにガラス面２０９から０．５ｍｍ程度離れた位置に配されている。このため、コンタクトイメージセンサ２０８は原稿画像データを補正するための基準となる白基準板２１０の白色度を非密着状態で読取っている。
【０００８】
しかし、このように白基準板２１０の白色度を非密着状態で読み取るようにした場合、白基準板２１０の白色度の読み取りと原稿の読み取りとではコンタクトイメージセンサ２０８からの距離が異なるため、即ち読み取り条件が異なるようになるため、プリスキャンにおいて白基準板２１０を読み取った際のレファレンス信号（波形）に基づいて画像を形成した場合、同じ濃度であっても違う出力になってしまい高画質を得ることが難しいという問題があった。特に、写真画像等を高精細に読取ると、白が飛び気味なったり、逆に黒がつぶれたりする問題が発生した。
【０００９】
そこで、本発明は、このような現状に鑑みてなされたものであり、高品位な画像読取が可能な画像読取装置及びこれを備えた画像読取記録装置を提供することを目的とするものである。
【００１０】
【課題を解決するための手段】
本発明は、原稿の画像を読み取る画像読取手段を備えた画像読取装置において、前記画像読取手段と所定の間隔を設けて対向配置され、かつ該画像読取手段との間に前記原稿が通過する隙間を形成する白基準部材を備え、前記画像読取手段により原稿を読み取る際、前記原稿を前記白基準部材に圧接させながら前記画像読取手段と前記白基準部材との間の隙間を通過させるようにしたことを特徴とするものである。
【００１１】
また本発明は、前記画像読取手段は前記隙間の上面を構成し、前記原稿の上面の画像を読み取ることを特徴とするものである。
【００１２】
また本発明は、前記隙間の上流に設けられ、前記原稿を搬送する第１搬送手段と、前記隙間の下流に設けられ、前記原稿を搬送する第２搬送手段と、を備え、前記第１搬送手段と前記第２搬送手段の上端を結ぶ直線より前記白基準部材の上面を上方に突出させることを特徴とするものである。
【００１３】
また本発明は、前記第１搬送手段の搬送速度よりも前記第２搬送手段の搬送速度を速くし、かつ前記第１搬送手段の搬送力よりも前記第２搬送手段の搬送力を弱く設定したことを特徴とするものである。
【００１４】
また本発明は、画像読取記録装置において、シートに画像を記録する画像記録部と、上記のいずれかに記載の画像読取装置とを備えたことを特徴とするものである。
【００１５】
また本発明は、前記第１搬送手段は、前記原稿を搬送し、かつ前記画像記録部にシートを搬送する搬送ローラであり、前記第２搬送手段は画像が読み取られた後の原稿及び画像が記録されたシートを排出する排紙ローラであることを特徴とするものである。
【００１６】
また本発明は、前記画像読取手段は、前記原稿の画像を読取る読取位置と、前記読取位置から退避した待機位置の２つの位置に移動可能であることを特徴とするものである。
【００１７】
また本発明は、前記原稿を前記画像読取部に搬送する原稿搬送路と、前記シートを前記画像記録部に搬送するシート搬送路と、前記原稿搬送路と前記シート搬送路の一部をそれぞれ形成する共通の搬送路とを備え、前記共通の搬送路において原稿画像の読み取り及び前記シートへの画像記録を行うことを特徴とするものである。
【００１８】
【発明の実施の形態】
以下、本発明の実施の形態について図面を用いて詳細に説明する。
【００１９】
ただし、この実施の形態に記載されている構成部品の寸法、材質、形状それらの相対配置などは、特に特定的な記載がない限りは、この発明の範囲をそれらのみに限定する趣旨のものではない。
【００２０】
図１は、本発明の実施の形態に係る画像読取装置を備えた画像読取記録装置の一例であるファクシミリ装置の構成を示す断面図である。
【００２１】
同図において、１００はファクシミリ装置であり、このファクシミリ装置１００は、シートである記録紙２に画像を記録する画像記録部１Ａを備えた画像記録装置部１０１と、原稿１２の画像を読み取る画像読取部２８を備えた画像読取装置１０２と、記録紙２が通過する記録紙搬送路Ｒ１と、原稿１２が通過する原稿搬送路Ｒ２と、記録紙搬送路Ｒ１と原稿搬送路Ｒ２の搬送方向下流側に設けられた共通の搬送路４９とを備えている。なお、この共通の搬送路（以下、共通搬送路という）４９には原稿１２及び記録紙２を搬送する共通の給送手段である搬送ローラ１０及び共通の排紙手段である排出ローラ１７が配されている。
【００２２】
次に、画像記録装置部１０１の構成について説明する。
【００２３】
画像記録装置部１０１は、後述する画像記録部１Ａの他、記録紙２を画像記録部１Ａに１枚ずつ分離して給紙するための記録紙給紙部（ＡＳＦ）３９を備えており、この記録紙給紙部（ＡＳＦ）３９は、記録紙２を複数枚積載収納可能な記録紙トレイ８と、矢印方向に回転する記録紙分離ローラ１９、記録紙分離ローラ１９とベース部材３５との間に位置し、かつベース部材３５に回動自在に軸支された圧板９、分離爪３１等を備えている。
【００２４】
ここで、記録紙分離ローラ１９は、図２に示すように軸部１９ｃと、軸部１９ｃより大径に形成された２箇所のローラ部１９ａからなるプラスチック等の一体成形品であり、ローラ部１９ａの回りに記録紙２の搬送を行うための摩擦弾性体からなる記録紙給紙ローラゴムが設けられている。また、軸部１９ｃの両端部は、ベース部材３５に回転可能に軸支され、その一端は不図示の駆動伝達手段を経て図３に示す駆動モータ２０に連結されている。
【００２５】
なお、この記録紙分離ローラ１９のローラ部１９ａは、図１に示すように一部周面を切り欠いて形成された切り欠き部１９ｂを有しており、この切り欠き部１９ｂの表面には、表面が低摩擦となるよう低摩擦係数を有する薄い金属板あるいはプラスチック材から形成されるローラガイドが設けられている。
【００２６】
圧板９は、両端上部の圧板軸９ａを介して回動自在にベース３５に保持されており、記録紙分離ローラ１９に一体に形成された不図示のカムにより、記録紙分離ローラ１９の回転に伴って同図に示す記録紙２を記録紙分離ローラ１９から離間させるイニシャル位置から記録紙分離ローラ１９のローラ部１９ａに記録紙２を当接させ、記録紙分離ローラ１９による記録紙２の給送が可能となる給送位置に移動するようになっている。
【００２７】
ここで、このカムは、記録紙分離ローラ１９の切り欠き部１９ｂが圧板９に対向する間のみ、圧板９を押し下げるような形状を有しており、記録紙分離ローラ１９の切り欠き部１９ｂ以外が圧板９と対向する時は、ローラ部１９ａが必ず記録紙２と（あるいは圧板９に記録紙２が無い場合には圧板９と）、圧板ばね３４の圧力で接するように構成されている。
【００２８】
なお、記録紙分離ローラ１９とカムとは１回転ごとに位相が合うように構成されており、これにより記録紙分離ローラ１９が１回転すると、これに伴ってカムは、圧板９をイニシャル位置から給送位置に上昇させ、この後、給送位置からイニシャル位置に下降させる位置に順次移動する。
【００２９】
分離爪３１は、記録紙給紙トレイ８に積載された記録紙２をせき止めるストッパとしての機能を有するものである。なお、記録紙分離ローラ１９が回転すると、記録紙分離ローラ１９に接触した最上位の記録紙２ａは、記録紙分離ローラ１９との摩擦により分離爪３１を乗り越えて搬送されるようになっている。
【００３０】
ところで、本実施の形態において、記録紙分離ローラ１９は、待機状態のときには図４に示すように切り欠き部１９ｂが記録紙２と略平行に対向するように停止し、このような状態で停止することにより、記録紙２に触れないだけでなく、後述する原稿１２を共通搬送路４９にガイドする原稿下ガイド部材２３との間に原稿１２を通過させるための隙間Ｇを形成することができるようになっている。
【００３１】
ここで、この隙間Ｇは、最大量の記録紙２を記録紙トレイ８にセットした状態でも記録紙２の最上位の記録紙２ａに下原稿ガイド２３の下面が接触せず、また記録紙２を搬送する場合、記録紙分離ローラ１９が回転し、ローラ部１９ａの一部周面が原稿下ガイド部材２３に形成された図２に示す切り欠き５０を超えて原稿下ガイド部材２３の下方に突出した際、圧板９に載置された最上位の記録紙２ａに当接することができるような間隔となっている。なお、この下原稿ガイド２３は、占有する空間を小さく、かつ所定の強度を得るために金属の板で形成されている。
【００３２】
さらに、記録紙分離ローラ１９は１回転した後、再び図４に示す切り欠き部１９ｂが記録紙２と対向し、かつカムによって圧板９を押し下げた待機状態に戻る。これにより、搬送ローラ１０が最上位の記録紙２ａを搬送中に、２枚目以降の記録紙２が記録紙分離ローラ１９と接することはなく、安定した記録紙２の搬送を行うことが可能となる。
【００３３】
一方、記録紙分離ローラ１９により送り出された記録紙２が通過する記録搬送路Ｒ１の搬送方向下流側に設けられた共通搬送路４９は、図５に示すように記録紙２を搬送するための支持面として機能するプラテン３と、プラテン３の下流に設けられ、プラテン３に続いて記録紙２の下側の支持面として機能する補助プラテン部材３ａを備えている。
【００３４】
ここで、図２に示すようにプラテン３の記録支持面５３には、記録紙幅方向に複数のリブ５６が形成されており、記録紙搬送の際には、これら複数のリブ５６の上面を記録紙２が通過するようになっている。
【００３５】
また、支持部材であるプラテン３と共に記録紙２を支持する支持部を構成する補助プラテン部材３ａはプラテン３の記録支持面５３に形成された凹部に配置され、両側面の記録紙搬送方向上流側に形成された図５に示す軸３ａ１を介してプラテン３に上下方向に回動自在に保持されると共に、通常は図１に示すバネ５８により弾性的に付勢され、上面の記録支持面５７がプラテン３の上面にて構成される記録支持面５３と同一平面になる位置に保持されている。
【００３６】
なお、この補助プラテン部材３ａは、後述するようにＣＳホルダ２６によってバネ５８の付勢力を超えて上方より押された場合は、プラテン３の記録支持面５３に対して５ミリ程度沈み込む方向に回動するようになっている。
【００３７】
さらに、この共通搬送路４９は、図１、図２及び図５に示すように、プラテン３に軸支された第１搬送手段である搬送ローラ１０の他、搬送ローラ１０に当接している記録紙幅方向に併設された４つのピンチローラ１６と、排紙部４７とを備えている。なお、搬送ローラ１０は、不図示のピンチローラばねによってピンチローラガイド３６を介して付勢されたピンチローラ１６により記録紙２あるいは原稿１２を搬送する搬送力を生み出している。
【００３８】
また、排紙部４７は、プラスチックとエラストマーを一体で成型した第２搬送手段である排紙ローラ１７と、排出を補助するための複数の拍車１８が設けられている。ここで、拍車１８は不図示の拍車ばねにより排紙ローラ１７に押し付けられており、この排紙ローラ１７及び拍車１８により記録紙２あるいは原稿１２は装置の外に排出される。なお、この拍車１８は拍車ホルダ５５により、排紙ローラ１７に圧接するように軸支されている。
【００３９】
ここで、本実施の形態において、搬送ローラ１０とピンチローラ１６による搬送力は、排紙ローラ１７と拍車１８による搬送力より強くなるように、それぞれのローラ１０，１７の摩擦力とピンチローラ１６、拍車１８の付勢力は設計されている。また、排紙ローラ１７と拍車１８により発生する搬送速度は、搬送ローラ１０とピンチローラ１６により発生する搬送スピードよりも速く設計されている。
【００４０】
これにより、少なくとも搬送ローラ１０と排紙ローラ１７の間を搬送される原稿１２は、排紙ローラ１７により引っ張られるが、搬送ローラ１０の搬送力よりも排紙ローラ１７の搬送力の方が小さいため原稿１２はスリップする。このため、一定のテンションを張られた状態で、原稿１２は搬送ローラ１０により定められた搬送速度で搬送される。
【００４１】
なお、搬送ローラ１０とピンチローラ１６による記録紙２の搬送方向は、ローラ上流側から下流側に向けて斜め下方向となるように設定されており、また排紙ローラ１７と拍車１８による記録紙２の搬送方向はローラ上流側から下流側に向けて斜め上方向となるように設定されている。これにより共通搬送路４９において、記録紙２はプラテン３及び補助プラテン部材３ａの上面に当接しながら搬送されるようになる。
【００４２】
また、図６において、１は画像記録手段であるインクカートリッジであり、搬送ローラ１０もしくは排紙ローラ１７で搬送された被記録材にインク像を記録する画像記録部１Ａ（図１参照）は、このインクカートリッジ１に設けられたインクヘッド６５に形成されたノズルからインクタンクに充填されたインクを吐出して記録するインクジェット記録方式のものである。なお、このインクカートリッジ１のインクヘッド６５は記録紙搬送方向に不図示の６４個のノズルが１／３６０ｉｎｃｈピッチで１列の並んだノズル列を備えている。
【００４３】
また、このインクカートリッジ１は、キャリッジ４に着脱可能に取付けられている。ここで、このキャリッジ４はシャーシ２４の上部をコの字に曲げて形成されたガイドレール７と、シャーシ２４の両側板２４ａ，２４ｂに支持されたガイドシャフト６０によりガイドされ、記録紙幅方向に移動可能に支持されている。
【００４４】
さらに、このキャリッジ４は、一端がシャーシ２４に取付けられたキャリッジモータ３３のピニオンギア６２に係合され、他端がシャーシ２４に取付けられた不図示のプーリによってテンションを持って支持されたキャリッジベルト６３に固定されており、キャリッジモータ３３によってキャリッジベルト６３が回転することにより記録紙２の搬送方向と直交する幅方向に移動するようになっている。
【００４５】
そして、このようにキャリッジ４が往復移動する際、インクジェットカートリッジ１のインクヘッド６５から画像情報に応じてインクを吐出することにより記録紙２に所望のデータが効率的に記録される。
【００４６】
一方、インクカートリッジ１は、画像記録時以外は、図７に示すようにキャリッジ移動範囲の一端（右端）の待機位置で待機するようになっている。なお、この待機位置のインクカートリッジ１のインクヘッド６５に対向する位置には、インクヘッド６５の機能を回復維持するため、インクを吸引するポンプ機能と、ノズル面を清掃するワイパー機能と、待機時にノズルの乾燥を防止するためのノズルキャップ機能を有した回復ユニット６４が設けられている。
【００４７】
そして、インクカートリッジ１が待機位置（キャッピングポジション）にあるとき、インクヘッド６５のキャップは乾燥しないよう回復ユニット６４のノズルキャップ機能でキャップされている。また、インクタンクのインクが無くなった場合のインクカートリッジ１の交換は、キャッピングポジションにあるインクカートリッジ１を図８に示すように手前側に取り外すことで行うようになっている。
【００４８】
次に、このように構成された画像記録装置部１０１の画像記録動作について説明する。
【００４９】
記録紙２が記録トレイ８にセットされた状態で、不図示の外部機器から画像信号が入力されると、まず搬送ローラ１０が駆動され、その駆動が記録紙分離ローラ１９及びカムに伝達されると、記録紙分離ローラ１９及びカムが回転する。これにより、圧板９が上昇して記録紙分離ローラ１９と記録紙２が接し、この結果、記録紙分離ローラ１９の図１に示す矢印方向の回転に伴い記録紙２がピックアップされ、共通搬送路４９に向けて搬送される。
【００５０】
なお、このとき記録紙分離ローラ１９により搬送された記録紙２は分離爪３１でせき止められるが、記録紙分離ローラ１９のローラ部１９ａとの摩擦によりセットされた最上位の記録紙２ａだけが分離爪３１を乗り越えて共通搬送路４９に向けて搬送される。また、記録紙分離ローラ１９とカムは記録紙２を共通搬送路４９に送り込むまでに１回転し、再び圧板９を記録分離ローラ１９に対してリリースした状態で搬送ローラ１０からの駆動が切られ、このイニシャル状態を保持する。
【００５１】
次に、共通搬送路４９に向けて搬送された記録紙２は、プラテン３とピンチローラガイド３６にガイドされ、搬送ローラ１０とピンチローラ１６のニップに搬送される。
【００５２】
次に、搬送ローラ１０及びピンチローラ１６に搬送された記録紙２は、搬送ローラ１０と４つのピンチローラ１６とにより挟持され、プラテン３と補助プラテン部材３ａとにより構成される支持部の上面である図２に示す記録支持面５３，５７を通過する。
【００５３】
そして、このように記録支持面５３を通過する際、画像記録部１Ａにおいて、記録紙２ａの幅方向に走査（往復移動）するキャリッジ４に搭載されたインクジェットカートリッジ１から、画像情報に応じてインクが吐出されることにより記録紙上に画像が記録される。この後、画像が記録された後、記録紙２ａは、排紙ローラ１７により矢印Ａに示すように装置外へ排出される。
【００５４】
次に、画像読取装置１０２について説明する。
【００５５】
画像読取装置１０２は、後述する画像読取部２８の他、図１に示すように原稿１２を画像読取部２８に給紙するための原稿給紙部（ＡＤＦ）４０を備えている。そして、この原稿給紙部（ＡＤＦ）４０は原稿１２を複数枚収納可能な原稿トレイ１１と、記録紙給紙部３９よりも原稿搬送上流に配置されると共に、原稿分離ローラ１５、原稿上ガイド１４等を有している。
【００５６】
ここで、原稿分離ローラ１５は矢印方向に回転することで原稿トレイ１１にセットされた原稿１２を搬送するものであり、図２に示すようにベース部材３５の両側部３５ａ，３５ｂに回転自在に軸支されている。また、この原稿分離ローラ１５の軸１５ａの一端は図７に示す読取駆動伝達手段５１及び駆動切替手段５２を介して図３に示す駆動モータ２０に連結されている。
【００５７】
なお、この駆動切替手段５２は、不図示の制御手段により切り替えられて、画像記録動作の場合には、駆動モータ２０の駆動を記録駆動伝達手段に伝達して記録紙分離ローラ１９を駆動し、画像読取動作の場合には駆動モータ２０の駆動を、読取駆動伝達手段５１を介して原稿分離ローラ１５及び画像読取部２８に伝達するようになっている。
【００５８】
なお、原稿分離ローラ１５は、図２に示すように記録紙分離ローラ１９（１９ａ，１９ａ）の間に配置されている。そして、このような位置に原稿分離ローラ１５を配置することにより、図１に示すように断面方向で記録紙分離ローラ１９とのオーバーラップが可能となり、この結果、ファクシミリ装置１００を小型化することができる。
【００５９】
なお、図４において、１３は不図示のばねにより原稿分離ローラ１５に圧接している原稿分離片であり、この原稿分離片１３はゴムなどの摩擦係数の高い材料で形成されると共に、原稿分離ローラ１５により送り出された原稿１２を共通搬送路４９に向わせるための原稿下ガイド部材２３に回動可能に軸支される分離片支持部材３７に保持されている。
【００６０】
また、２７は原稿分離ローラ１５へ原稿１２を押し付けることにより原稿分離の補助的動作を行う予備分離アームであり、この予備分離アーム２７は分離パット１３の両側に設けられている。ここで、この予備分離アーム２７は分離パット支持部材３７の支点と同軸上に軸支され、分離パット１３と原稿分離ローラ１５との当接位置より上流側で原稿分離ローラ１５の外周面に付勢されている。なお、この下原稿ガイド２３には原稿トレイ１１が着脱可能に取付けられるようになっている。
【００６１】
そして、原稿トレイ１１に原稿１２がセットされると、原稿１２は先端が分離片１３と原稿分離ローラ１５により構成されるくさび形状で留まるようになり、この後、原稿分離ローラ１５が矢印方向に回転すると、くさび形状に留められた原稿１２のうち、最も上部の原稿１２ａのみが原稿分離ローラ１５との摩擦により搬送される。
【００６２】
原稿上ガイド１４は、原稿下ガイド部材２３の上方に配されて原稿搬送路Ｒ２の上面を構成するものであり、この原稿上ガイド１４は、短冊状に成形され、その上端は図４に示すように、原稿分離ローラ１５の軸部１５ａに回動自在に軸支されており、かつ原稿下ガイド２３の上に自重で垂れ下がって原稿搬送路Ｒ２の上面を構成している。
【００６３】
ここで、この原稿上ガイド１４は摺動性の良い樹脂等で形成されると共に自重が軽く、分離ローラ１５の軸部１５ａを中心に軽い力で回動可能となっており、このため原稿１２が原稿分離ローラ１５もしくは搬送ローラ１０で搬送されている時は、原稿１２のこしと先端あるいは後端のバタツキにより、原稿分離ローラ１５を回転中心として上方向に押し上げられるようになっている。そして、このように原稿上ガイド１４が押し上げられることにより、原稿搬送路Ｒ２が確保される。
【００６４】
画像読取部２８は、図５に示すように搬送ローラ１０と排紙ローラ１７との間で、かつ図９に示すようにキャリッジ４の移動経路内においてプラテン３に対向するように配置され、搬送される原稿１２の上面を読取るようになっており、このように画像読取部２８をキャリッジ４の移動経路内に設けることによりファクシミリ装置１００の小型化を図ることができる。
【００６５】
ここで、この画像読取部２８は、画像読取手段であるコンタクトイメージセンサ２２と、コンタクトイメージセンサ（以下、ＣＳという）２２を保持する保持部材であるＣＳホルダ２６と、ＣＳホルダ２６にＣＳ２２に対向した状態で保持される白基準部材２５とを備えている。
【００６６】
なお、ＣＳ２２はＣＳホルダ２６に成形された凹部にセンサガラス面６６が外側になるように収容され、不図示のネジ（締結部材）にて固定されている。また、白基準部材２５は白色のシートを金属板に取付けて形成されたものであり、この金属板は白色シートを取付ける平面と、長手方向両端部に形成された折曲部とを備えている。
【００６７】
そして、この両折曲部には穴が形成されており、この穴にＣＳホルダ２６に形成された軸を係合することで、白基準部材２５をＣＳホルダ２６及びＣＳ２２に対して回動可能に支持している。なお、この白基準部材２５は、不図示のねじりコイルバネによりＣＳ側に付勢されている。
【００６８】
これにより、白基準部材２５は、図１０の（ａ）に示すセンサガラス面側に付勢された状態である第１ポジションと、図１０の（ｂ）に示すねじりコイルバネに抗して下方回動する第２ポジション（清掃ポジション）を取ることが可能となっている。そして、このように第２ポジションをとることができるようにすることにより、画像記録部１Ａのインクによって白基準部材２５の白色シートあるいはＣＳ２２の読取面が汚れた場合に、ユーザが汚れた部分の清掃をすることを可能にしている。
【００６９】
なお、この白基準部材２５は原稿幅方向の外側両端に、ＣＳ２２に対して付勢された状態でＣＳ２２に当接する高さ０．５ｍｍの円柱が形成されており、この円柱をセンサガラス面６６に突き当てることで、白基準部材２５とＣＳ２２のセンサガラス面６６と間に原稿１２を通過させるための、図１１に示すように０．５ｍｍの高さを有する隙間Ｇ１を形成することができるようにしている。なお、この値は、０．１ｍｍ程度の厚さの原稿１２が反った状態となっても通過できるよう、或は紙厚の厚い原稿が負荷なく通過できるように設定されたものである。
【００７０】
なお、ＣＳホルダ２６の長手方向の両側面にはボスが形成されており、この一方の側壁面のボスには図９に示すようにプラテン３に取付けられたＣＳホルダ支持部材６８に成形された不図示の中空のボスが、また他方の側壁面に成形されたボスにはプラテン３に成形された軸受部６９が係合している。
【００７１】
そして、これら左右の係合部は同軸上にあり、これによりＣＳホルダ２６は図７に示す画像記録の際、キャリッジ４が走査方向に移動したとき、キャリッジ４に接触しない第１のポジション（待機位置）から、図５に示すキャリッジ４の移動空間内であってＣＳ２２の読取面と白基準部材２５との隙間Ｇ１で形成される原稿読取搬送路７０と、プラテン３により構成される記録支持面５３とが同一面となる第２のポジション（読取位置）に移動できるようになっている。
【００７２】
ここで、このようにＣＳホルダ２６を回動させることにより、読取位置では原稿１２に対向するように下方向に面しているセンサガラス面６６を、待機位置では原稿に対向しない横向きにすることができるため、センサガラス面６６の清掃に必要なセンサガラス面６６の前方の空間を少ない移動量で最大に得ることが可能となり、清掃が簡単になる。
【００７３】
また、第１のポジション（待機位置）は画像記録部１Ａのキャリッジ４とキャリッジ４に取付けられたインクカートリッジ１が記録の際にキャリッジ移動範囲内を移動したときに接触せず、また画像記録部１Ａの最大高さを越えない位置で、かつ記録紙搬送路から離れた位置に設計されている。なお、本実施の形態では、この第１のポジション（待機位置）をキャリッジ４の下流側としているが、上流側としても良い。
【００７４】
さらに、ＣＳホルダ２６の左右方向の位置は、インクカートリッジ１が、キャリッジ移動範囲内の一端（右端）のキャッピングポジション（図７参照）にある状態で、カートリッジ１に邪魔されることなくＣＳホルダ２６が第２のポジションに移動できるように設計されている。
【００７５】
また、白基準部材２５の金属板の原稿搬送方向上流側はくし歯形状になっており、くし歯の歯と歯の間にプラテンのリブ５６が入るようになっており、また白基準部材２５の金属板の原稿搬送方向下流側には、長手方向の強度を強くするための曲げ部７２（図９参照）が形成されている。
【００７６】
そして、ＣＳホルダ２６が第２のポジションに移動する際、この曲げ部７２が既述したように回動可能に支持された補助プラテン部材３ａを押し下げることにより、ＣＳホルダ２６は第２のポジションに移動することができるようになっている。これにより、原稿読取時、搬送ローラ１０と排紙ローラ１７の間の、白基準部材２５とＣＳ２２により形成される読取搬送路とプラテン３により構成される記録支持面５３とが同一面となる。
【００７７】
また、ＣＳホルダ２６の一端部（幅方向左側端部）には駆動切替手段５２及び図９に示すＣＳ駆動伝達手段７３を介して駆動モータ２０に連結されたＣＳ駆動手段７４が配置されており、このＣＳ駆動手段７４を介して駆動モータ２０の駆動によりＣＳホルダ２６を第１のポジションあるいは第２のポジションへ移動させることができるようになっている。
【００７８】
次に、このように構成された画像読取装置１０２の画像読取動作について説明する。
【００７９】
原稿トレイ１１に原稿１２がセットされた状態で読取動作が開始されると、まず不図示の制御手段により駆動切替手段５２を切り替えることによって駆動モータ２０の駆動を、読取駆動伝達手段５１を介して原稿分離ローラ１５に伝達する。これにより、原稿分離ローラ１５が、図１に示す矢印方向に回転し、このように回転する原稿分離ローラ１５と分離片１３により、原稿トレイ１１にセットされた原稿１２が１枚ずつ分離して送り出される。
【００８０】
なお、この時、既述したように原稿分離ローラ１５の給送方向下流に配された記録紙分離ローラ１９の回転方向の位相は初期状態となっており、記録分離ローラ１９のローラ部１９ａの切り欠き部１９ｂと原稿下ガイド部材２３の間には原稿１枚を通紙するために十分な間隙Ｇが生じている（図４参照）。
【００８１】
また、このように原稿分離ローラ１５を回転させると共にＣＳ駆動伝達手段７３を介してＣＳ駆動手段７４を作動させ、装置スタンバイ状態において不図示のねじりコイルバネ（弾性部材）によって反時計方向に付勢され、図７に示すように第１のポジション（待機位置）に保持されているＣＳホルダ２６を下方に回動させる。
【００８２】
なお、本実施の形態においては、読取駆動伝達手段５１とＣＳ駆動伝達手段７３のギア比及びローラ径を調節することで、原稿１２が搬送ローラ１０に到達する前にＣＳホルダ２６が第２のポジションに移動するように設定されている。
【００８３】
そして、このようにＣＳホルダ２６が第２のポジションに移動すると、ＣＳ駆動手段７４とＣＳ駆動伝達手段７３を連結している不図示のクラッチが切れてＣＳホルダ２６は停止すると共に、不図示の第２のコイルバネ（弾性部材）によって、その位置で付勢される。また、同時にＣＳホルダ２６が補助プラテン部材３ａを押し下げることにより、搬送ローラ１０と排紙ローラ１７の間に、プラテン３により構成される記録支持面５３と同一面状の読取搬送路が形成される。
【００８４】
次に、１枚ずつ分離して送り出された原稿１２は、下面を原稿下ガイド部材２３に支持されつつ、記録紙２と同様、プラテン３とピンチローラガイド３６にガイドされ、搬送ローラ１０とピンチローラ１６のニップに搬送される。
【００８５】
次に、搬送ローラ１０及びピンチローラ１６に搬送された原稿１２は、搬送ローラ１０と４つのピンチローラ１６とにより挟持され、図５に示すＣＳ２２と白基準部材２５とにより形成された隙間Ｇ１（原稿読取搬送路７０）を通過すると共に、この通過の際にＣＳ２２によって画像データを読み取られる。そして、原稿１２の最後端が読取られると、排紙ローラ１７により装置外に排出される。
【００８６】
なお、このように原稿１２が排出されると、駆動モータ２０が逆転し、これによりＣＳ駆動手段７４とＣＳ駆動伝達手段７３がクラッチにより連結されると共に、既述したねじりコイルばねによってＣＳホルダ２６は第１のポジションに移動する。
【００８７】
また、このＣＳホルダ２６の第１のポジションへの移動に伴い補助プラテン部材３ａがバネ５８の付勢力により上方に押し上げられ、これにより補助プラテン部材３ａの記録支持面５３とプラテン３の記録支持面５３とにより同一平面状の記録支持面５３が形成される。最後に、駆動切替手段５２によって、駆動モータ２０の駆動を記録モードに切り替え、装置はスタンバイ状態になる。
【００８８】
ところで、ＣＳホルダ２６の第２のポジション（読取位置）は、搬送ローラ１０の外周上端と排紙ローラ１７の外周上端とを結ぶ直線より、白基準部材２５の上面が０．５ｍｍ程度突出する位置に設計されている。
【００８９】
そして、ＣＳホルダ２６の第２のポジションをこのような位置にすることにより、既述したように搬送ローラ１０によって一定のテンションを張られた状態で定められた搬送速度で搬送される原稿１２は、図１１に示すようにＣＳ２２（のセンサガラス面６６）と白基準部材２５とにより形成された隙間Ｇ１を通過する際、白基準部材２５に圧接しながら搬送される。これにより、多少反った原稿１２やシワのある原稿１２でも確実に白基準部材２５に接して搬送することができ、安定した画像読取を行うことができる。
【００９０】
ここで、センサガラス面６６から原稿１２表面までの距離は、原稿１２の厚みを０．１ｍｍとすると０．４ｍｍとなり、センサガラス面６６から白基準部材２５までの距離は既述したように０．５ｍｍなので、センサガラス面６６から白基準部材２５までの距離とセンサガラス面６６から原稿１２の表面までの距離との差は０．１ｍｍとなる。また、本実施の形態において、ＣＳ２２のピントは原稿表面に一致するようにセンサガラス面から０．４ｍｍ浮いたところでピントが合うように設計されている。
【００９１】
そして、このように構成することにより、プリスキャンにおいて白基準部材２５の表面を読取る時と、白基準部材２５に沿って搬送される原稿１２の表面を読取る時とではピントのずれがないようにすることができ、これにより白基準部材２５の表面を読取る時の読み取り条件と、原稿１２の表面を読取る時の読み取り条件が同じにすることができる。この結果、高品位な画像読取が可能となると共に、プリスキャンにおいて白基準部材２５を読み取った際のレファレンス信号（波形）に基づいて画像を形成することにより、高品位な画像を安定して得ることができる。
【００９２】
なお、本実施の形態では、コンタクトイメージセンサ２２が上側、白基準部材２５が下側にあるため原稿１２は、自重でも白基準部材側に倣うことができ、これにより幅方向でローラのない部分があっても原稿１２を白基準部材２５側に圧接させることができ、更なる安定した画像読取を行うことができる。
【００９３】
このように、原稿画像を読み取る際、原稿１２を白基準部材２５に圧接させながらＣＳ２２と白基準部材２５との間の隙間Ｇ１を通過させるようにすることにより、白基準部材２５と原稿とを同じ位置で読み取ることができ、これにより高品位な画像読取が可能となる。
【００９４】
なお、既述したように共通搬送路４９に記録紙２を支持する支持部を構成する補助プラテン部材３ａを退避可能に設け、原稿画像を読み取る際にはＣＳホルダ２６（に保持されたＣＳ２２）を、補助プラテン部材３ａを共通搬送路４９から退避させながら、共通搬送路４９に原稿搬送通路７０を形成し、かつ原稿画像の読み取りが可能な位置に移動させるようにすることにより、装置の小型化と記録及び読取り精度を維持しながら、画像読取部２８のインクによる汚れを防止することができる。
【００９５】
また、既述したように分離された記録紙２及び原稿１２を共通の搬送ローラ１０及び排紙ローラ１７により搬送することにより、読取用駆動モータや原稿搬送用機構を別途設ける必要がなく、コストダウンが実現されるとともに装置全体の小型化を図ることができる。
【００９６】
さらに、小型化、ランニングコストなどの面で有利なインクジェット記録方式を用いた構成の画像記録部１Ａを採用した場合でも、本実施の形態のように、画像記録動作時には、ＣＳ２２を共通搬送路４９から退避させるようにすることにより、記録動作時のインクミスト及びインク漏れによる汚れを防ぐことができると共に、レイアウト上の制限が少なくなり、設計時の自由度を増すことができる。
【００９７】
またさらに、画像記録動作時には、ＣＳ２２を共通搬送路４９から退避させるようにすることにより、画像記録部１Ａにおいて記録紙ジャム等が生じても未定着インクがＣＳ２２の読取面もしくは白基準部材２５に付着するというトラブルの発生を防ぐことができる。また、ＣＳ２２の読取面を白基準部材２５により覆うようにすることにより、ＣＳ２２の読取面のインクミストによる汚れを大幅に軽減することができる。
【００９８】
なお、本実施の形態においては、原稿トレイ１１を記録紙トレイ８の上方に配し、これに伴い原稿分離ローラ５１を記録紙分離ローラ１９の上流に設けた場合について述べてきたが、本発明はこれに限らず、記録紙トレイ８を原稿トレイ１１の上方に配し、これに伴い記録紙分離ローラ１９を原稿分離ローラ５１の上流に設けるようにしても、同様の効果を得ることができる。
【００９９】
また、これまでの説明においては、本発明に係る画像読取装置をファクシミリ装置に設けた場合について述べてきたが、本発明はこれに限らず、画像読取装置をプリンタに設けた場合でも、また画像読取装置単体でも同様の効果を得ることができるのは言うまでもない。
【０１００】
【発明の効果】
以上説明したように本発明のように、画像読取手段により原稿を読み取る際、原稿を白基準部材に圧接させながら画像読取手段と白基準部材との間の隙間を通過させ、白基準部材と原稿とを同じ位置で読み取ることができるようにすることにより、高品位な画像読取が可能となる。
【図面の簡単な説明】
【図１】本発明の実施の形態に係る画像読取装置を備えた画像読取記録装置の一例であるファクシミリ装置の構成を示す断面図。
【図２】上記ファクシミリ装置における記録紙及び原稿の給紙系の構成を説明する斜視図。
【図３】上記ファクシミリ装置におけるモータの配置及び離間状態の白基準部材を示す斜視図。
【図４】上記ファクシミリ装置の原稿搬送状態を示す断面図。
【図５】上記ファクシミリ装置における画像読取部を通過する原稿の搬送経路を示す図。
【図６】上記ファクシミリ装置の記録動作時の状態を示す斜視図。
【図７】上記ファクシミリ装置における記録動作時の記録部および読取部の配置構成を示す斜視図。
【図８】上記ファクシミリ装置におけるインクカートリッジ交換を示す斜視図。
【図９】上記ファクシミリ装置における画像読取時の状態を示す斜視図。
【図１０】上記ファクシミリ装置の白基準部材の第１のポジション及び第２のポジションを示す図。
【図１１】上記ファクシミリ装置の白基準部材とコンタクトイメージセンサとの間に形成された隙間を説明する図。
【図１２】従来のコンタクトイメージセンサを用いた画像読取装置の画像読取部の構成を示す図。
【符号の説明】
１          インクカートリッジ
１Ａ        画像記録部
２          記録紙
３          プラテン
１０        搬送ローラ
１１        原稿トレイ
１２        原稿
１７        排紙ローラ
２２        コンタクトイメージセンサ
２５        白基準部材
２８        画像読取部
４９        共通搬送路
６６        センサガラス面
１００      ファクシミリ装置
１０２      画像読取装置
Ｇ１        白基準部材とコンタクトイメージセンサとの間の隙間
Ｒ１        記録紙搬送路
Ｒ２        原稿搬送路
【図１】
2004207817.tif 000003
【図２】
2004207817.tif 000004
【図３】
2004207817.tif 000005
【図４】
2004207817.tif 000006
【図５】
2004207817.tif 000007
【図６】
2004207817.tif 000008
【図７】
2004207817.tif 000009
【図８】
2004207817.tif 000010
【図９】
2004207817.tif 000011
【図１０】
2004207817.tif 000012
【図１１】
2004207817.tif 000013
【図１２】
2004207817.tif 000014